(57)【要約】      （修正有）【課題】左右両吸込口に吸い寄せられる空気流が左右両吸込口から空気清浄機に取り込まれる前に天面吹出口に引き寄せられるのを防止でき、かつ、空気清浄機の設置面積を大きくすることなく空気清浄フィルタを有効活用できる空気清浄機の提供。【解決手段】ケーシング１ａの前面及び左右両側面に、送風室２に連通する前面吸込口１０ａ、左吸込口１１ａ、及び右吸込口１２ａが設けられ、上下方向について、天面吹出口１３ａは、左吸込口１１ａ、右吸込口１２ａ、及び前面吸込口１０ａと離れて配置され、空気清浄フィルタ３０が、送風ファン２０を有する送風室２と天面吹出口１３ａとの間において略水平に配置される空気清浄機。【選択図】図３
2016016340.tif 000002
【特許請求の範囲】
【請求項１】
ケーシングの天面に設けられた天面吹出口と、
前記ケーシングの左右両側面にそれぞれ設けられた左右両吸込口と、
前記左右両吸込口と連通し、かつ送風ファンを有する送風室と、
前記送風室と前記天面吹出口との間において略水平に配置される空気清浄フィルタとを備え、
前記ケーシングの前面に、前記送風室に連通する前面吸込口が設けられるとともに、
上下方向について、前記天面吹出口は、前記左右両吸込口および前記前面吸込口と離れて配置されることを特徴とする空気清浄機。
【請求項２】
前記前面吸込口が、前記ケーシングの前面下方に設けられることを特徴とする請求項１に記載の空気清浄機。
【請求項３】
前記空気清浄フィルタと前記天面吹出口との間に、空気を加湿する加湿室が配置されることを特徴とする請求項１または２に記載の空気清浄機。
【請求項４】
前記送風室には、放電部を有する活性種発生装置が配置されており、
前記活性種発生装置には、前記加湿室を通過する前の空気が供給されることを特徴とする請求項３に記載の空気清浄機。
【請求項５】
前記天面吹出口が前記ケーシングの天面の略全域に設けられることを特徴とする請求項１−４のいずれかに記載の空気清浄機。
【発明の詳細な説明】
【技術分野】
【０００１】
本発明は、空気清浄機に関する。
【背景技術】
【０００２】
従来の空気清浄機としては、ケーシングの天面に設けられた天面吹出口と、ケーシングの左右両側面にそれぞれ設けられた左右両吸込口と、ケーシングの内部において上下方向に沿って配置された空気清浄フィルタと、空気清浄フィルタの後方に配置された送風ファンとを備えたものがある。
【先行技術文献】
【特許文献】
【０００３】
【特許文献１】特許第４９６７５８２号
【発明の概要】
【発明が解決しようとする課題】
【０００４】
上記の空気清浄機では、図６に示すように、空気清浄機１０１の左右両吸込口１０２、１０３が左右両側面の上端付近まで延びており、上下方向について、天面吹出口１０４と、左右両吸込口１０２、１０３との間の距離が短いので、点線矢印で示すように、左右両吸込口１０２、１０３に吸い寄せられる空気流の一部が、左右両吸込口１０２、１０３から空気清浄機１０１の内部に取り込まれる前に天面吹出口１０４に引き寄せられて、空気清浄されないおそれがある。
【０００５】
また、上記の空気清浄機では、空気清浄フィルタおよび送風ファンが前後方向に並んで配置される構成であるため、空気清浄機の奥行寸法が長くなって空気清浄機の設置面積が大きくならないように、空気清浄フィルタと送風ファンとの距離が短くされる。そのため、空気清浄フィルタのうち送風ファンと対向する部分に偏って空気が流れるので、空気清浄フィルタ全体を十分に活用できないおそれがある。
【０００６】
そこで、本発明の目的は、左右両吸込口に吸い寄せられる空気流が左右両吸込口から空気清浄機に取り込まれる前に天面吹出口に引き寄せられるのを防止でき、かつ、空気清浄機の設置面積を大きくすることなく空気清浄フィルタを有効活用できる空気清浄機を提供することである。
【０００７】
第１の発明にかかる空気清浄機は、ケーシングの天面に設けられた天面吹出口と、前記ケーシングの左右両側面にそれぞれ設けられた左右両吸込口と、前記左右両吸込口と連通し、かつ送風ファンを有する送風室と、前記送風室と前記天面吹出口との間において略水平に配置される空気清浄フィルタとを備え、前記ケーシングの前面に、前記送風室に連通する前面吸込口が設けられるとともに、上下方向について、前記天面吹出口は、前記左右両吸込口および前記前面吸込口と離れて配置されることを特徴とする。
【０００８】
この空気清浄機では、上下方向について、天面吹出口が左右両吸込口と離れて配置されるので、左右両吸込口に吸い寄せられる空気流が左右両吸込口から空気清浄機の内部に取り込まれる前に天面吹出口に引き寄せられるのを防止できる。また、空気清浄フィルタが略水平に配置されるので、空気清浄機を上下方向に延ばすことによって、空気清浄フィルタと送風ファンとの距離を長くすることができる。その結果、空気流が空気清浄フィルタ全体を通過しやすくなる。したがって、空気清浄機の設置面積を大きくすることなく空気清浄フィルタを有効活用できる。また、ケーシングの前面に天面吹出口と離れた前面吸込口が設けられるので、上下方向について、天面吹出口と左右両吸込口とが離れて配置される構成とするために、左右両吸込口の上下方向長さを短くして、左右両吸込口から吸い込まれる空気量が小さくなる場合であっても、空気清浄機に吸い込まれる空気量を十分に確保できる。
【０００９】
第２の発明にかかる空気清浄機は、第１の発明にかかる空気清浄機において、前記前面吸込口が、前記ケーシングの前面下方に設けられることを特徴とする。
【００１０】
この空気清浄機では、空気清浄機に引き寄せられた空気流がケーシングの前面において吹き上がるのを防止できる。また、ケーシングの前面の床面に堆積した塵埃や花粉等を捕集できる。
【００１１】
第３の発明にかかる空気清浄機は、第１または第２の発明にかかる空気清浄機において、前記空気清浄フィルタと前記天面吹出口との間に、空気を加湿する加湿室が配置されることを特徴とする。
【００１２】
この空気清浄機では、空気清浄フィルタと天面吹出口との間に、空気を加湿する加湿室が配置されるので、天面吹出口と左右両吸込口との間のスペースを有効活用しつつ、天面吹出口と左右両吸込口との距離を長くできる。
【００１３】
第４の発明にかかる空気清浄機は、第３の発明にかかる空気清浄機において、前記送風室には、放電部を有する活性種発生装置が配置されており、前記活性種発生装置には、前記加湿室を通過する前の空気が供給されることを特徴とする。
【００１４】
この空気清浄機では、活性種発生装置に加湿室を通過する前の空気が供給されるので、活性種発生装置を通過する空気が、活性種を適正に含むようにできる。
【００１５】
第５の発明にかかる空気清浄機は、前記天面吹出口が前記ケーシングの天面の略全域に設けられることを特徴とする。
【００１６】
この空気清浄機では、天面吹出口の面積を大きくできるので、天面吹出口から吹き出される空気流の風速を遅くすることができる。したがって、床面に堆積した塵埃等が天面吹出口から吹き出された空気流によって舞い上がるのを防止できる。
【発明の効果】
【００１７】
以上の説明に述べたように、本発明によれば、以下の効果が得られる。
【００１８】
第１の発明では、上下方向について、天面吹出口が左右両吸込口と離れて配置されるので、左右両吸込口に吸い寄せられる空気流が左右両吸込口から空気清浄機の内部に取り込まれる前に天面吹出口に引き寄せられるのを防止できる。また、空気清浄フィルタが略水平に配置されるので、空気清浄機を上下方向に延ばすことによって、空気清浄フィルタと送風ファンとの距離を長くすることができる。その結果、空気流が空気清浄フィルタ全体を通過しやすくなる。したがって、空気清浄機の設置面積を大きくすることなく空気清浄フィルタを有効活用できる。また、ケーシングの前面に天面吹出口と離れた前面吸込口が設けられるので、上下方向について、天面吹出口と左右両吸込口とが離れて配置される構成とするために、左右両吸込口の上下方向長さを短くして、左右両吸込口から吸い込まれる空気量が小さくなる場合であっても、空気清浄機に吸い込まれる空気量を十分に確保できる。
【００１９】
第２の発明では、空気清浄機に引き寄せられた空気がケーシングの前面において吹き上がるのを防止できる。また、ケーシングの前面の床面に堆積した塵埃や花粉等を捕集できる。
【００２０】
第３の発明では、空気清浄フィルタと天面吹出口との間に、空気を加湿する加湿室が配置されるので、天面吹出口と左右両吸込口との間のスペースを有効活用しつつ、天面吹出口と左右両吸込口との距離を確保できる。
【００２１】
第４の発明では、活性種発生装置に加湿室を通過する前の空気が供給されるので、活性種発生装置を通過する空気が、活性種を適正に含むようにできる。
【００２２】
第５の発明では、天面吹出口の面積を大きくできるので、天面吹出口から吹き出される空気流の風速を遅くすることができる。したがって、床面に堆積した塵埃等が天面吹出口から吹き出された空気流によって舞い上がるのを防止できる。
【図面の簡単な説明】
【００２３】
【図１】本発明の実施形態にかかる空気清浄機の概略を示す斜視図である。
【図２】（ａ）は、空気清浄機の平面図であり、（ｂ）は、空気清浄機の左側面図であり、（ｃ）空気清浄機の正面図であり、（ｄ）は、空気清浄機の右側面図である。
【図３】空気清浄機の縦断面図である。
【図４】空気清浄機を右側面から見たときの内部構成を示す図である。
【図５】本発明の実施形態にかかる空気清浄機の空気の流れを示す概略図である。
【図６】従来の空気清浄機の空気の流れを示す概略図である。
【発明を実施するための形態】
【００２４】
以下、図面を参照しつつ、本発明の実施形態について説明する。
【００２５】
［空気清浄機の全体構成］
図１に示すように、本実施形態の空気清浄機１は、四角柱状の装置であって、その外周面がケーシング１ａ（図２参照）によって覆われている。この空気清浄機１は、加湿機能と空気清浄機能とを有し、ユーザは、空気清浄機能だけを選択することができるが、加湿機能を選択した時は空気清浄機能が伴う。なお、図１では、内部構成が見えるようにケーシング１ａ（鉛直４側面）を外した状態で図示している。
【００２６】
空気清浄機１は、送風室２、空気清浄室３、加湿室４を有しており、それらは下方から上方に向かって送風室２、空気清浄室３、加湿室４の順に並んでいる。つまり、空気清浄機１は、縦に延びる形状となるので、設置面積が小さくなる。送風室２は、空気清浄室３の空気清浄フィルタ３０に対して空気を送風する。空気清浄室３は、室内空気に含まれる塵埃等を除去して空気を清浄する。加湿室４は、室内空気を加湿する。
【００２７】
送風室２には、送風ファン２０が配置される。空気清浄室３には、空気清浄フィルタ３０が配置される。加湿室４には、加湿ユニット５０が配置される。なお、加湿ユニット５０は、右側面パネル１２の上方に設けられた側方扉１２ｂ（図２参照）から水平方向に取出し可能となっている。
【００２８】
図２に示すように、ケーシング１ａの前面パネル１０は、前面吸込口１０ａを有する。この前面吸込口１０ａは、前面パネル１０の下方に設けられ、送風室２に連通している。ケーシング１ａの左側面パネル１１は、左吸込口１１ａを有する。ケーシング１ａの右側面パネル１２は、右吸込口１２ａを有する。左吸込口１１ａおよび右吸込口１２ａ（左右両吸込口）は、送風室２に連通している。ケーシング１ａの天面パネル１３は、天面吹出口１３ａを有する。天面吹出口１３ａは、天面パネル１３の略全域（天面パネル１３のうち水平部分の略全域）に設けられている。
【００２９】
この空気清浄機１では、送風ファン２０が駆動されることによって、前面吸込口１０ａ、左吸込口１１ａ、及び右吸込口１２ａから送風室２に室内空気が吸い込まれる。そして、図３の実線矢印で示すように、送風室２に吸い込まれた空気は、送風ファン２０、空気清浄フィルタ３０、加湿ユニット５０の順にこれらを通過して、天面吹出口１３ａから吹き出される。
【００３０】
図２に示すように、前面吸込口１０ａは、前面パネル１０の幅方向に沿って延びた幅広の吸込口であり、前面パネル１０の下方（下端近傍）に設けられる。したがって、前面吸込口１０ａからは、前面パネル１０の前方の床面に堆積または床面近傍に浮遊した塵埃・花粉等が吸い込まれる。図４に示すように、前面吸込口１０ａの近傍には、プレフィルタ１０ｂが配置される。このプレフィルタ１０ｂは、略水平に配置されている。このプレフィルタ１０ｂでは、大きな塵埃が捕集される。
【００３１】
左吸込口１１ａおよび右吸込口１２ａは、それぞれ左側面パネル１１および右側面パネル１２の幅方向略全域、かつ左側面パネル１１および右側面パネル１２の下方に設けられた吸込口である。詳しくは、左吸込口１１ａおよび右吸込口１２ａは、左側面パネル１１および右側面パネル１２の上下方向中央よりも下方に設けられる。また、左吸込口１１ａおよび右吸込口１２ａの上端は、空気清浄フィルタ３０よりも下方に位置している。したがって、上下方向について、天面吹出口１３ａは、左吸込口１１ａ、右吸込口１２ａ、および前面吸込口１０ａと離れて配置される。左吸込口１１ａの近傍および右吸込口１２ａの近傍には、それぞれ図示しないプレフィルタが配置される。このプレフィルタは、上下方向に沿って配置され、大きな塵埃を捕集する。
【００３２】
図３に示すように、空気清浄室３に配置された空気清浄フィルタ３０は、集塵フィルタ３１と、脱臭フィルタ３２とを有している。集塵フィルタ３１および脱臭フィルタ３２は、送風室２と加湿室４との間において略水平に配置されており、脱臭フィルタ３２が集塵フィルタ３１よりも上方に配置されている。この空気清浄フィルタ３０では、まず、集塵フィルタ３１によって微細な塵埃が取り除かれる。集塵フィルタ３１を通過した空気は、活性炭などを含む脱臭フィルタ３２によってホルムアルデヒドや臭い成分などが吸着される。
【００３３】
加湿室４に配置される加湿ユニット５０は、空気に水分を供給して空気を加湿する加湿フィルタ５１と、加湿フィルタ５１に供給する水を貯留する水トレー５２と、水トレー５２に供給する水が貯留される水タンク５３とを有している。この加湿室４は、空気清浄室３と天面吹出口１３ａとの間に配置される。図３に示すように、水タンク５３は、正面から見て加湿室４の右側（幅）方向中央より右側）の空間に配置される。
【００３４】
送風室２は、送風ファン２０と、送風ファン２０を駆動するモータ２２と、埃センサ２５と、電装部材２６と、ストリーマ放電ユニット２７（活性種供給装置）とを有している。この送風室２は、空気清浄機１の最も下方に形成されており、空気清浄フィルタ３０に対して空気を送風する。
【００３５】
送風ファン２０は、モータ２２の片側（右側）に取り付けられた両側吸込み式のシロッコファンであり、左吸込面２０ａと右吸込面２０ｂとを有する。図３に示すように、モータ２２は、正面から見て送風室２の左側（幅方向中央よりも左側）の空間に配置され、送風ファン２０は、送風室２の右側（幅方向中央より右側）の空間に配置される。したがって、左吸込口１１ａから左吸込面２０ａまでの距離は、右吸込口１２ａから右吸込面２０ｂまでの距離よりも長い。また、モータ２２と水タンク５３とは左右方向について離れて配置される。
【００３６】
埃センサ２５は、送風室２に吸い込まれる室内空気に含まれる塵埃量を検出する。埃センサ２５は、左吸込口１１ａと図示しないプレフィルタとの間、かつ左吸込口１１ａの上端近傍に配置される。
【００３７】
電装部材２６は、プリント基板などを収容しており、送風ファン２０の上方に配置される。
【００３８】
ストリーマ放電ユニット２７は、放電部を有する活性種発生装置である。ストリーマ放電ユニット２７では、針状電極に高電圧を印加することによりプラズマ放電の一種であるストリーマ放電が発生する。当該放電発生の際に酸化分解力の高い活性種が生成される。これらの活性種には、高速電子、イオン、水酸化ラジカル及び励起酸素分子などが含まれ、これらの活性種は、アンモニア類や、アルデヒド類、窒素酸化物等の小さな有機分子からなる空気中の有害成分や臭気成分を分解する。このストリーマ放電ユニット２７は、図示しない右吸込口１２ａの近傍に配置されたプレフィルタの内側に配置される。
【００３９】
空気清浄機１では、図３の点線矢印で示すように、空気清浄フィルタ３０を通過した空気の一部が、支流としてストリーマ放電ユニット２７に送られる。この支流がストリーマ放電ユニット２７を通過するときに、ストリーマ放電によって発生した活性種が支流に供給される。活性種が供給された支流は、図３の実線矢印で示す空気流（本流）に合流して、天面吹出口１３ａ側に送られる。支流に供給された活性種は、脱臭フィルタ３２にまで到達し、脱臭フィルタ３２での消臭効果が高められる。
【００４０】
図４に示すように、集塵フィルタ３１および脱臭フィルタ３２の側周面は、樹脂製のフィルタカバー３３で覆われている。フィルタカバー３３は、脱臭フィルタ３２の側方に設けられ、かつ右側面パネル１２対向する開口３４を有する。そして、フィルタカバー３３と右側面パネル１２との間には、開口３４および送風室２に連通したダクト３５が形成されている。図４に示すように、支流としてストリーマ放電ユニット２７に送られる空気は、フィルタカバー３３の開口３４からダクト３５を通って送風室２（詳しくは、右吸込口と、右吸込口を覆うプレフィルタとの間）に戻ったあと、そのプレフィルタの内側に配置されたストリーマ放電ユニット２７を通過する。
【００４１】
＜本実施形態にかかる空気清浄機の特徴＞
本実施形態にかかる空気清浄機１には、以下の特徴がある。
【００４２】
本実施形態の空気清浄機１では、上下方向について、天面吹出口１３ａは左右両吸込口（左吸込口１１ａおよび右吸込口１２ａ）と離れて配置されるので、図５に示すように、左右両吸込口に吸い寄せられる空気流が空気清浄機１の内部に取り込まれた後、天面吹出口１３ａから吹き出される。したがって、左右両吸込口に吸い寄せられる空気流が左右両吸込口から空気清浄機１の内部に取り込まれる前に天面吹出口１３ａに引き寄せられるのを防止できる。また、空気清浄フィルタ３０が略水平に配置されるので、空気清浄機１を上下方向に延ばすことによって、空気清浄フィルタ３０と送風ファン２０との距離を長くすることができる。その結果、空気流が空気清浄フィルタ３０全体を通過しやすくなる。したがって、空気清浄機１の設置面積を大きくすることなく空気清浄フィルタ３０を有効活用できる。また、ケーシング１ａの前面パネル１０（前面）に天面吹出口１３ａと離れた前面吸込口１０ａが設けられるので、上下方向について、天面吹出口１３ａと左右両吸込口とが離れて配置される構成とするために、左右両吸込口の上下方向長さを短くして、左右両吸込口から吸い込まれる空気の流量が小さくなる場合であっても、空気清浄機１に吸い込まれる空気の流量を確保できる。
【００４３】
また、本実施形態の空気清浄機１では、空気清浄機１に引き寄せられた空気がケーシング１ａの前面において吹き上がるのを防止できる。また、ケーシング１ａの前面の床面に堆積した塵埃や花粉等を捕集できる。
【００４４】
また、本実施形態の空気清浄機１では、空気清浄フィルタ３０と天面吹出口１３ａとの間に、空気を加湿する加湿室４が配置されるので、天面吹出口１３ａと左右両吸込口（左吸込口１１ａおよび右吸込口１２ａ）との間のスペースを有効活用しつつ、天面吹出口１３ａと左右両吸込口との距離を確保できる。
【００４５】
また、本実施形態の空気清浄機１では、ストリーマ放電ユニット２７（活性種発生装置）に加湿室４を通過する前の空気が供給されるので、ストリーマ放電ユニット２７を通過する空気が、活性種を適正に含むようにできる。
【００４６】
また、本実施形態の空気清浄機１では、天面吹出口１３ａの面積を大きくできるので、天面吹出口１３ａから吹き出される空気流の風速を遅くすることができる。したがって、床面に堆積した塵埃等が天面吹出口１３ａから吹き出された空気流によって舞い上がるのを防止できる。
【００４７】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００４８】
上述の実施形態では、前面吸込口１０ａがケーシング１ａの前面パネル１０の下方（下端近傍）に設けられる場合について説明したが、送風室２に連通するのであれば、どこに設けられてもよい。
【００４９】
また、上述の実施形態では、空気清浄フィルタ３０と天面吹出口１３ａとの間に、空気を加湿する加湿室４が配置される場合について説明したが、加湿室はなくてもよい。すなわち、空気清浄機が空気清浄機能のみを有するものについて本発明を適用してもよい。
【００５０】
また、上述の実施形態では、送風室２にストリーマ放電ユニット２７（放電部を有する活性種発生装置）が配置される場合について説明したが、活性種発生装置はなくてもよい。
【００５１】
また、上述の実施形態では、空気清浄フィルタ３０を通過し、かつ加湿室４を通過する前の空気が、いったん送風室２に戻って、ストリーマ放電ユニット２７（放電部を有する活性種発生装置）に供給されるように構成されるが、加湿室を通過したあとの空気が送風室に戻って活性種発生装置に供給されてもよいし、空気清浄フィルタを通過した空気が送風室に戻る構成ではなくて、単に送風室に吸い込まれた空気が活性種発生装置を通過するだけであってもよい。
【００５２】
また、上述の実施形態では、天面吹出口１３ａがケーシング１ａの天面の略全域に設けられる場合について説明したが、ケーシング１ａの天面の一部に設けられてもよい。
【００５３】
また、上述の実施形態では、空気清浄フィルタが、集塵フィルタと脱臭フィルタとを有する場合について説明したが、空気清浄フィルタが、脱臭フィルタを有していなくてもよい。
【産業上の利用可能性】
【００５４】
本発明を利用すれば、左右両吸込口に吸い寄せられる空気流が左右両吸込口から空気清浄機に取り込まれる前に天面吹出口に引き寄せられるのを防止でき、かつ、空気清浄機の設置面積を大きくすることなく空気清浄フィルタを有効活用できる。
【符号の説明】
【００５５】
１  空気清浄機
１ａ  ケーシング
２  送風室
４  加湿室
１０  前面パネル（ケーシングの前面）
１０ａ  前面吸込口
１１  左側面パネル（ケーシングの左側面）
１１ａ  左吸込口
１２  右側面パネル（ケーシングの右側面）
１２ａ  右吸込口
１３  天面パネル（天面）
１３ａ  天面吹出口
２０  送風ファン
２７  ストリーマ放電ユニット（活性種発生装置）
３０  空気清浄フィルタ
【図１】
2016016340.tif 000003
【図２】
2016016340.tif 000004
【図３】
2016016340.tif 000005
【図４】
2016016340.tif 000006
【図５】
2016016340.tif 000007
【図６】
2016016340.tif 000008